(57)【特許請求の範囲】
【請求項１】
−  前端部（１０ａ）と後端部（１０ｂ）との間で長手方向に延在する筒状本体部（１０）と、
−  ペン先（２）及びインクチャンバ（１５）を備える筆記ユニット（１１）であって、当該筆記ユニットが、前記ペン先が前記筒状本体部（１０）の前方から突出する伸長位置と、前記ペン先が前記筒状本体部（１０）の内側に収容される引込位置と、の間で前記筒状本体部に対して移動可能である、筆記ユニットと、
−  前記筆記ユニット（１１）の後端部に固定されかつ前記筆記ユニットと共に移動可能な第１磁気部材（３）と、
−  第２磁気部材（４）及び作動部材（Ａ）を備える選択デバイス（２０）であって、前記ペン先（２）が引込位置にある当該選択デバイス（２０）の第１構成から前記ペン先（２）が伸長位置にある第２構成まで移動するように構成された、選択デバイスと、
を備え、
前記第１磁気部材（３）及び前記第２磁気部材（４）が、前記筒状本体部（１０）の内側に配置され、
前記第１構成において、前記第１及び第２磁気部材（３、４）が、互いに接触する反対の磁極を有し、前記第２構成において、前記第１及び第２磁気部材（３、４）が、互いにほぼ向かい合う同一の極性の極を有し、前記ペン先（２）を最大伸長位置に向けて付勢する斥力を生成し、前記最大伸長位置において、前記筆記ユニット（１１）が、前記筒状本体部（１０）の長手方向当接部（１２）と接触し、後方に移動可能なままであり、
前記第２構成における前記斥力が、筆記圧を緩和するように構成され、
前記第２磁気部材（４）が、前記第１構成及び前記第２構成により規定される２つの構成間で所定の角度だけ回動軸（Ｘ）で回転し、
前記作動部材（Ａ）が、前記第２磁気部材（４）の最大寸法よりも十分に大きい長さとするために、前記筒状本体部（１０）の外壁部に沿って延在する細長い部材である、ことを特徴とする筆記具（１）。
【請求項２】
前記第１及び第２磁気部材（３、４）が、前記第１構成及び前記第２構成それぞれにおいて前記筒状本体部（１０）を横断する平面にある面を有することを特徴とする請求項１に記載の筆記具。
【請求項３】
前記作動部材（Ａ）が、横断軸に回動可能に取り付けられていることを特徴とする請求項１または２に記載の筆記具。
【請求項４】
前記筒状本体部（１０）が、前記作動部材（Ａ）を前記第１及び第２構成に対応する位置でロックするロック部材（３２、３３）を有することを特徴とする請求項３に記載の筆記具。
【請求項５】
前記作動部材（Ａ）が、前記回動軸（Ｘ）を形成しかつ内部支持部（２６）を支持するピン（２５）に固定されており、前記第２磁気部材（４）が、前記内部支持部に取り付けられており、
前記内部支持部、前記ピン及び前記作動部材が、単一部品として形成されていることを特徴とする請求項３または４に記載の筆記具。
【請求項６】
前記第２磁気部材（４）が、長手方向軸に対して回転移動可能であり、前記作動部材（Ａ）に固定されていることを特徴とする請求項１または２に記載の筆記具。
【請求項７】
前記筒状本体部（１０）が、前記作動部材（Ａ）を前記第１及び第２構成に対応する位置でロックするロック部材（４１）を有することを特徴とする請求項６に記載の筆記具。
【請求項８】
前記選択デバイス（２０）が、前記作動部材（Ａ）を前記第２磁気部材（４）の前記回動軸（Ｘ）に接続する機構をさらに備え、
前記機構が、前記選択デバイスが前記第１構成から前記第２構成まで変化されると前記第２磁気部材が前方へ移動し、前記選択デバイスが前記第２構成から前記第１構成まで変化されると前記第２磁気部材が後方へ移動するように構成されていることを特徴とする請求項１から７のいずれか１項に記載の筆記具。
【請求項９】
前記筆記ユニット（１１）が、最大伸長位置において前記長手方向当接部（１２）と接触する肩部を備え、
前記長手方向当接部が、前記筒状本体部（１０）の中心軸（１４）に対して垂直に延在する当接面を画定することを特徴とする請求項１から８のいずれか１項に記載の筆記具。
【発明の詳細な説明】
【技術分野】
【０００１】
本発明は、インクペンのような筆記具に、特に、筆記具であって、
−  前端部と後端部との間で長手方向に延在する管状本体部と、
−  筆記部材であって、筆記部材が本体部の前方から突出する伸長位置と筆記具が本体部内に収容される引込位置との間で本体部に対して移動可能である、筆記部材と、
−  筆記部材に固定されそれと共に移動可能な第１磁気部材と、
−  第２磁気部材及び作動部材を備える選択デバイスであって、筆記部材が引き込み位置にある当該デバイスの第１構造から筆記部材が伸長位置にある第２構造まで移動するように構成された、選択デバイスと、
を備える筆記具、に関する。
【背景技術】
【０００２】
上記タイプの筆記具は、バネの使用を回避する。特許文献１は、ボールペンの先端を伸長させる／引き込む磁気デバイスを開示している。このデバイスは、先端に固定された磁石であってそれと共にスライドする磁石と、スライド磁石を引き付けて引き込み位置を得る作動磁石と、を備える。ペン先の伸長位置は、軸回りに作動磁石を回転させることによって得られる（特に、特許文献１における図５の実施形態を参照）。このタイプの用具は、筆記素子の位置を選択し、先端に固定された磁石と回転可能に作動した磁石との間で磁気的に確立された「結合」を用いて、同時に筆記素子を選択した位置で不動とすることを可能とする。
【０００３】
同様に、特許文献２から、作動すること及び筆記位置を維持することを可能とする筆記用具が知られている。作動は、管状本体部の外側にあるノブに配置された第１磁石を回転させることによる磁気である。この第１磁石は、筆記素子に固定された第２内部磁石に斥力を掛ける。斥力の影響から、筆記部材は、管状本体部の前端部の基端側にある保持面及び素子によって規定される保持領域に留まり、筆記部材の伸長位置は、筆記中に固定される。この伸長位置は、第１磁石と第２磁石との間に掛かる磁力を反転させることによってのみ変更され、もちろん、これは、引込位置に復帰させる。
【０００４】
しかしながら、このような用具は、筆記圧に適応していない。
【０００５】
使用が快適であり、筆記部材を引き込む可能性に適合し、かつ好ましくは経済的である筆記具に関する必要性が存在する。
【先行技術文献】
【特許文献】
【０００６】
【特許文献１】国際公開第２００４／０６０６９７号パンフレット
【特許文献２】米国特許第３０６３４１９号明細書
【発明の概要】
【発明が解決しようとする課題】
【０００７】
本発明の目的は、設計が容易であることを維持しつつ、容易に作動される引き込み可能な先端であって筆記時のある出来事により適応する先端を有する筆記具を提供することである。
【課題を解決するための手段】
【０００８】
このため、本発明における筆記具は、第１及び第２磁気部材が互いに接触する反対の磁極を有する第１構成を有し、第２構成において、第１及び第２磁気部材は、互いに向かい合う同一極性からなる極を有して、斥力を生成し、この斥力は、筆記部材が本体部の長手方向当接部と接触しかつ後方に移動可能なままである最大伸長位置に向けて筆記部材を付勢し、上記第１構成における斥力は、筆記圧を緩和させるように構成され、第２磁気部材は、２つの構成間を所定角度だけ回動軸で回転する。
【０００９】
このため、筆記部材は、有利には、磁気緩和システムに関連付けられており、この磁気緩和システムは、筆記部材を筆記可能とするために最大伸長位置に向けて押圧する。この構成は、使い勝手がよくかつコンパクトであり、一方の磁石を他方から離間させて移動させる必要がなく、単純な回転で十分である。
【００１０】
ユーザに対して、これは、使いやすさを向上させる。ペン先の磁気的緩和は、筆記中に不快を生じさせることなく（ユーザが過剰な圧力を掛けた場合に）紙を引き裂く危険性を低減する。斥力の非線形性（開始時に斥力が小さい）は、同様に、過剰な圧力に対して非常に十分に反応する間に後方への移動を可能とし、これは、この構成において筆記点を引き込む危険性を制限する。
【００１１】
本発明の特有の特徴において、第１磁気部材及び第２磁気部材は、本体部の内側に配置されている。この配置は、磁石をコンパクトな態様でまとめ、磁気部材の面を外面の汚染から保護する。
【００１２】
特有の特徴において、第１及び第２磁気部材は、第１及び第２構成にある本体部を横断する平面に面を有する。これら面は、概して平坦であり、引力及び斤力からなる磁力は、接近時に接触する（磁力線が平行である）ので、最大化される。
【００１３】
別の特有の特徴において、本体部は、第１及び第２構成に対応する位置において作動部材をロックするロック部材を有する。所定位置にペン先をロックすることは、例えば本体部の外面に形成された凹凸を有する作動部材を引き込むことによって達成される。この配置は、筆記具の本体部における内部容積内に収容された部分とロックすることを確立することを防止する。
【００１４】
別の特有の特徴において、作動部材は、好ましくは第２磁気部材の最大寸法よりも十分に大きい長さとするために、本体部の外壁部に沿って延在する細長い部材である。これは、作動中にユーザに対して快適な把持をもたらす。作動部材の寸法は、磁気部材の寸法と比較して大きい（このため、磁気部材のサイズは、筆記具の内側に限定される）。
【００１５】
別の特有の特徴において、作動部材は、横断軸に回動可能に取り付けられている。横断する回転軸を有するこの配置は、第２磁気部材を第１磁気部材の接する面から離間させるために掛けなければならないトルクを最小化する。このため、ユーザは、過剰な労力なく第２構成から第１構成まで変化させる。作動部材は、クリップを形成する。これは、ユーザがアクチュエータとして及び（例えばシャツの前ポケットへの）取付部として同一部分を使用できるので、部品数を最小化する。
【００１６】
別の特有の特徴において、作動部材は、回動軸を形成しかつ内部支持部を支持するピンに固定されており、第２磁気部材は、内部支持部に取り付けられている。支持部、ピン及び作動部材は、単一部品として形成されている。また、ピンは、コンパクトな態様で第２磁気部材を収容し、それが軸方向で移動することを可能としない。
【００１７】
別の特有の特徴において、第２磁気部材は、長手方向軸に対して回転移動可能であり、作動部材に固定されている。したがって、磁石のための回動機構は、特に単純になる。
【００１８】
別の特有の特徴において、選択デバイスは、作動部材を第２磁気部材の回動軸に接続する機構をさらに備え、上記機構は、選択デバイスが第１構成から第２構成まで変化されると第２磁気部材が前方に移動し、選択デバイスが第２構成から第１構成まで変化されると第２磁気部材が後方へ移動するように構成されている。この配置は、経路を長くし、ペン先は、使用位置において磁石間に多すぎる空間を導入することなく、適切な距離だけ延長される。主として、この場合において、磁石は、多極面を有する。
【００１９】
別の特有の特徴において、筆記部材の肩部は、最大伸長位置において長手方向当接部と接触する。
【００２０】
本発明の他の特徴及び有利点は、添付の図面を参照しながら、非限定的な例として提供されるいくつかの実施形態における以下の説明を読むことによって明らかになる。
【図面の簡単な説明】
【００２１】
【図１】本発明の第１実施形態における筆記具を示す長手方向断面図であって、ペン先が伸長位置にある、長手方向断面図である。
【図２Ａ】図１の筆記具を示す長手方向断面図であって、ペン先が引込位置にある、長手方向断面図である。
【図２Ｂ】図１の筆記具を示す斜視図であって、ペン先が引込位置にある、斜視図である。
【図３】本発明の第１実施形態における筆記具の一部を示す前面図である。
【図４】本発明の第１実施形態における筆記具の一部を示す斜視図である。
【図５Ａ】本発明の第２実施形態における筆記具を示す長手方向断面図であって、ペン先が伸長位置にある、長手方向断面図である。
【図５Ｂ】本発明の第２実施形態における筆記具を示す長手方向断面図であって、ペン先が引込位置にある、長手方向断面図である。
【図６】図５Ａ及び図５Ｂの筆記具を示す斜視図である。
【図７】本発明の第２実施形態における筆記具の後端部を示す詳細な長手方向断面図である。
【図８】図５Ａ、図５Ｂ及び図６の筆記具の詳細な部分を示す斜視図である。
【図９】図５Ａ、図５Ｂ及び図６の筆記具の詳細な部分を示す斜視図である。
【図１０】本発明の変形実施形態における筆記具を示す詳細図である。
【発明を実施するための形態】
【００２２】
さまざまな図において、同一の参照符号は、同一のまたは同様の素子を示す。筆記具１は、ペン先２を用いた任意の筆記する、消去するまたはハイライトを付ける媒体であって以下の説明ではインクと称される媒体における筆記を可能とする。
【００２３】
特に図１、図２Ａ及び図２Ｂを参照すると、筆記具１は、キャップを有さずに示されており、ペン先２は、一対の磁石３、４のシステムを用いて引き込まれている。引き込み位置において、ペン先２は、突出しておらず、したがって、筆記するために使用できない。磁石４を回動軸Ｘ回りに移動させることにより、ペン先２は、１つの位置から他の位置まで変化することが可能となる。
【００２４】
筆記具１は、好ましくはクリップ５が備えられた後端部と例えばテーパ状でありかつ円錐部分または同様の配置からなる前端部との間で延在する。好ましい実施形態において、筆記具１は、以下の説明で円筒部１０と称される管状本体部を備える。図１から図６の非限定的な例において、２つの磁石３、４は、この円筒部１０内に配置される。
【００２５】
ペン先２は、上記対の第１磁石を備えるスライド器具１１の一部である。器具１１は、円筒部１０と同軸であり、円筒部１０の当接面１２によって停止される肩部１１ａを有する。この当接面１２は、リングであり、円筒部１０の中心軸１４に対して垂直に延在する。円筒部１０の１以上の内面ｆ（下線付きのｆ）は、案内手段を有し、この案内手段は、肩部１１ａの前方が当接面１２と接触する伸長位置とペン先２の後退位置との間で器具１１を案内するとして既知である。後退位置において、第１磁石３は、第２磁石４に接触するまたはできるだけ近接し、この第２磁石は、円筒部１０に接続されている。あるいは、例えば２つの他の磁気部材間に配置された磁気部材など、２を越える磁石を使用してもよい。
【００２６】
図１及び図５Ａに示す伸長位置において、ペン先２は、前方開口部を通過して円筒部１０の前端部１０ａに対して突出し、筆記は、可能となる。ここで、第２磁石４は、選択デバイス２０のそれぞれの構成においてペン先２と同軸である。既知の方法で、ペン先２には、長手方向通路１４を介してインク１３が供給されており、この長手方向通路は、インクチャンバ１５と連通している。このため、器具１１は、筆記ユニットを規定する。例えば通気穴１５ａがインクチャンバ１５の後方にあり、空気が自由に通過することを可能とする。円筒部１０は、後方開口部１６及び中空部１７を有し、これを通って、空気は、後方開口部１６と通気穴１５ａとの間を流動する。
【００２７】
また、中空部１７は、第２磁石４の少なくとも一部を収容する。この第２磁石４の横断面は、中空部の横断面よりも小さく、空気が後方開口部１０ｂと通気穴１５ａとの間を通過することを可能とする。やや好ましい実施形態において、通気は、筆記具１の後端部１０ｂ以外、例えば前端部１０ａの基端側にあることによって達成されてもよい。この場合において、通気穴１５ａは、例えば円筒部１０と器具１１との間に画定された通路と連通し、通気穴を導く。
【００２８】
図１、図２ａ、図５Ａ及び図５Ｂには、選択デバイス２０を示しており、この選択デバイスは、磁石４及び作動部材Ａを備え、この作動部材は、第２磁石４の回転移動を制御する。この選択デバイス２０は、例えば磁石４の軸Ｘ回りで回動する。このため、磁石は、選択デバイス２０が引込位置に対応する第１構成から伸長位置に対応する第２構成まで変化すると、所定の角度だけ回転する。作動部材Ａは、好ましくは、円筒部１０の外壁部に沿って延在する細長い部材であり、第２磁石４の寸法よりもずっと大きな寸法を有し、ユーザによる操作を容易にし、円筒部１０の内側で必要な容積を低減する。特に、作動部材Ａの長さは、例えば磁石４の最も大きな寸法の少なくとも２倍、より好ましくは少なくとも３倍大きい。
【００２９】
図２Ａ及び図５Ｂの引込位置が分かるように、この位置において、２つの磁石３、４は、補完的な極性の磁極間の引力によって接触する。そして、選択デバイス２０は、その第１構成にある。ユーザが作動部材Ａを回動軸Ｘ回りで例えば非限定的な例で１８０°回転させると、選択デバイス２０は、図１及び図５Ａに示す第２構成に配置される。磁石４を回転させるので、同一極性の２つの極は、ここでは互いに向き合い、したがって、互いに反発する。結果として生じる斥力は、ペン先２を最大伸長位置に向けて付勢する。この場合において、器具１１の肩部１１ａは、円筒部１０の長手方向当接部の当接面１２に当接して軸方向に押圧する。
【００３０】
器具１１が選択デバイス２０の第２構成においてその後方への移動可能性を維持しながら、斥力は、筆記圧を緩和するのに十分である。非限定的な例として、習慣的な筆記圧は、ペン先２を１ｍｍから４ｍｍだけ後退させ、ペン先２の変位幅ｄは、引込及び伸長位置間で例えば５ｍｍから１２ｍｍのオーダーである。斥力は、最大伸長位置において約１ニュートンであり、ペン先２が円筒部１０の前端部１０ａとほぼ同一レベルにある最大圧迫位置において７ニュートンである。
【００３１】
第１実施形態は、ここで図１から図４に関して説明される。
【００３２】
図２Ａにおいて、ペン先２が引込位置にあると、第２磁石４のＳ極は、後方を向き、第１磁石３の後方によって規定されるＳ極は、第２磁石の前側によって引かれる。作動部材Ａの主要部分を構成するクリップ５を円筒部１０に対して回転させることにより、第２磁石４を回転させる。この回転は、横断軸Ｘ回りで発生する。
【００３３】
ここでは１８０°回転させると、第１磁石３は、ここで第２磁石の他の側面を向き、この他の側面は、図１に示すように、同一極性（Ｓ極）を有する。磁界間の斥力は、第１磁石３の移動を引き起こし、これは、さらにペン先２の変位を引き起こす。また、この斥力は、筆記圧を磁気的に緩和するような方法で、ペン先２の伸長位置において掛けられる。
【００３４】
図１及び図２Ａに示すように、磁石４の２つの側面は、伸長位置及び引込位置双方に関して、ペン先２が変位する方向に垂直である。伸長位置に変更するため、横断軸Ｘ回りの回転移動は、２面間の磁気結合を遮断することを容易にする。図２Ｂ及び図３は、円筒部１０に窓部２４があることを示しており、この窓部を通って、第２磁石４が見える。この任意の窓部２４には、透光性のカバーが嵌め込まれている。この実施形態において、作動部材Ａは、回動軸Ｘを形成するピン２５に固定されている。ピン２５は、第２磁石４が取り付けられる内部支持部２６を有する。ここで、ピン２５、内部支持部２６及び作動部材Ａは、単一部品で形成されている。
【００３５】
ピン２５は、第２磁石４の例えば一方の極、この例においてＮ極に近接している。第２磁石４の横断中央面に対するこのオフセットは、梃子の原理により２つの磁石３、４間の磁気結合を遮断することに寄与する。図１に示すように、このタイプの機構は、第２磁石４を円筒部１０の内側においてより前方に配置することが可能となるという特有の利点を有する。より一般的には、選択デバイス２０は、選択デバイス２０の第１構成から第２構成まで変化させるときに第２磁石を前進させるために、作動部材Ａとピン２５との間に機構を備える。理解することは、ペン先２の変位幅ｄは、合計「ｄ１＋ｄ２」にほぼ対応することであり、ここで、ｄ１は、第２磁石４を回転させるための機構に起因する前進距離を示し、ｄ２は、２つの磁石３、４間の磁気斥力に起因する距離を示す。２つの磁石３、４における２つの向かい合う側面間の距離ｄ２は、例として図１に示すように、ペン先２の最大伸長位置に関して前進距離ｄ１よりも十分に小さい。理解することは、磁石に関するこの前進／引込機構は、斥力を増大させることを可能とする。この力の増大は、距離ｄ２が小さいときに非常に強力である。
【００３６】
図２Ａを参照すると、第２磁石４の位置は、図１よりもさらに後方にある。引込構成へ変化させるために回転させるときにおいて、磁石３、４それぞれの２つの補完的な極間の最大距離は、距離ｄ以下である。好ましくは、この距離は、限界分離距離(threshold separation distance)未満であり、この限界分離距離を越えると、引力は、円筒部１０内で自由にスライドする器具１１の重量をもはや相殺できない。
【００３７】
第２磁石４の斥力極、ここではＳ極に対応する面は、第２磁石４が回転段階にあるときに窓部２４を通過する。図４は、２つの窓部２４を円筒部１０の各側面に設け、磁石が円筒部１０に妨害されることなく回動軸Ｘ回りで完全に３６０°回転することを可能とする。これら窓部２４は、同様に排除してもよく、円筒部の及び／または第２磁石４の寸法は、それに応じて調整される。理解することは、円筒部１０が変形実施形態において大きく、円筒部１０が例えば２つの磁石３、４を有する磁気デバイスを収容する機能する部分において少なくとも拡大される。
【００３８】
この例においてかつ図３及び図４に示すように、円筒部１０は、２つの部分２７、２８を備え、これら２つの部分は、重ね合わされ、かつピン２５を一定の長手方向位置でロックする。特に、円筒部１０は、スライド器具１１を収容する主要部分２７と、磁気デバイスを被覆する後方部分２８と、を有する。後方部分２８は、主要部分２７の２つのスリット２９と係合する２つのタブを有する。取り付けは、例えば後方部分２８が主要部分の外肩部３１に当接して押圧するまで、後方部分２８を主要部分２７のスロット付端部３０に密に嵌合することによって達成される。理解することは、円筒部１０の主要部分２７の内部容積において、器具１１がスライドし、かつ例えば移動運動を案内する内部素子によって回転することが防止されていることである。
【００３９】
図２Ａ、図２Ｂ及び図３を参照すると、作動部材Ａの把持可能な部分は、固定具またはクリップ５に相当し、このクリップは、ペン先２が引込位置にあるときに円筒部１０の前端部１０ａに向けて延在する取付部分５ａを有する。クリップ５は、取り付けるためと、ペン先２の位置を作動させるためと、の２つの目的を有する。ユーザは、ペン先２が引込位置にあるときにのみこの取付機能が利用可能であることが分かる。他の方法では、図１に示すように、クリップ５は、筆記具１の方向とは反対側の方向に延在し、それを任意の支持部の縁部に引っ掛けることを阻害するまたは妨害する（そして、筆記具１の主要部分は、支持部に取り付けられない）。
【００４０】
作動部材Ａを側面に配置して第２磁石４を円筒部１０の内側に収容することにより、筆記具が、その後端部１０ｂにおいて作動部材が場所を取ることと、磁石４の面を露出させてユーザと接触させることがないことと、を可能とする。別の結果は、この後端部に対するより良好な耐衝撃性である。第１実施形態において、作動部材Ａによって規定されるクリップ５は、好ましくは、形状において全体的に平坦でない、例えば楕円形または円形の横断面を有し、把持を容易にする。
【００４１】
図１から図３に示すように、円筒部１０に対してクリップ５の位置を維持することは、クリップ５の機能的な端部の反対側で達成される。選択デバイス２０の回転は、例えば、棘突起部(spur)５ｂを円筒部１０に形成された保持ポケット内に挿入することによって阻止される。図３の例において、一対のリブ３２は、選択デバイス２０が第１（引込）構成において回転することを防止する。別の対のリブ３３は、選択デバイス２０がペン先２が伸長位置にある第２構成において回転することを防止する。各対のリブ３２、３３によって画定されるポケットそれぞれは、ここでは、長手方向の配列で配置される。作動部材Ａに隣接するピン２５の部分は、この配列の中点位置にあり、２対のリブ３２、３３から等距離にある。変形実施形態において、それぞれの対のリブ３２、３３は、作動部材Ａの一端部にあるスリットと協働する突起部で置換されてもよい。
【００４２】
より一般的には、理解することは、円筒部１０が作動部材Ａを第１及び第２構成に対応する位置にロックするロック手段３２、３３を有することである。図１から図３の例において、円筒部１０及び作動部材Ａは、好ましくは、それぞれプラスチック材料で形成され、この場合において、ロックすることは、基本的に円筒部１０の一部に作動部材Ａの一部として形成された棘突起部５ｂまたは同様の突起部を係合することによって達成される。
【００４３】
ここで、図５Ａから図９を参照しながら第２実施形態を説明する。この第２実施形態において、第１及び第２磁石３、４の少なくとも一方は、少なくとも双極子、好ましくは平坦であり、選択デバイス２０の相対的な構成において磁石３、４の他方を向く側面を有する。この第２実施形態が２つの磁石３、４を使用することを示しているが、理解することは、第２磁石４が同様にいくつかの磁石に対応してもよいことである。同じことが第１磁石３にも当てはまる。
【００４４】
図６及び図７に示すように、筆記具１は、スライド器具１１を収容するように機能する管状部分２７の後端部を囲む選択デバイス２０を有する。もちろん、変形例において、部分２７は、複数の部分の組立体で置換されてもよい。この第２実施形態において、選択デバイス２０は、円筒部１０の長手方向軸回りで回転するように組み立てられている。特に、選択デバイス２０は、好ましくは一部品で形成されて円筒部１０の後方を形成する作動部材Ａを備える。この作動部材Ａは、例えば溝部並びにリブ及び／または棘突起部からなるシステムを用いて、管状部分２７と同軸に組み立てられている。
【００４５】
図５Ａ及び図５Ｂを参照すると、ペン先２は、伸長位置（図５Ａ）と引込位置（図５Ｂ）との間で移動される。第１実施形態のように、磁石３、４の極それぞれは、互いを向く側面が補完的な磁力線を有する場合に相互に作用される。作動部材Ａを円筒部１０の管状部分２７に対して回転させることにより、第２磁石４の回転を引き起こす。この回転は、長手方向軸Ｘ、例えば管状部分２７の対称軸回りで発生する。
【００４６】
ここでは、回転が１８０°であるが、変形例として、角度が小さい回転は、可能である。磁石３、４それぞれは、例えばシリンダ状部分で形成されている。そして、これら磁石３、４の端面それぞれは、長手方向の中間面の各側面、Ｎ極を形成する領域とＳ極を形成する領域と、に形成される。第１実施形態に類似の方法において、ペン先２が後退位置（図５Ｂ）にあると、第２磁石４の前面における各領域の磁力線は、第１磁石３の向かい合う領域における磁力線と同一方向で方向付けられている。
【００４７】
このため、２つの磁石３、４は、磁気引力の作用に接触するまたはほぼ接触している。図５Ｂ及び図８を参照すると、ペン先２に接続される第１磁石は、この場合において、第２磁石４を形成する部分の凹所３４内に収容されている。
【００４８】
選択デバイス２０を管状部分２７に対して回転させることにより、第２磁石４の１８０°の回転を引き起こす。第２構成に対応する第２磁石４のこの新たな位置に関して、磁化された面の向かい合う領域は、斥力を掛ける。この第２構成においてかつ図５Ａに示すように、ペン先２は、その後退位置に対して変位幅だけ前進する。この例において、ペン先２が変位することによって、単に、磁石３、４間の斥力をもたらす。幅は、例えば最大伸長位置と最大圧迫位置との間の変位幅よりも例えば０．５ｍｍから１ｍｍだけ大きい。
【００４９】
図５Ａ、図５Ｂ及び図７に示すように、磁石４は、キャップ状部分の凹所内に固定されており、このキャップ状部分は、選択デバイス２０の作動部材Ａを規定する。このため、第２磁石４は、器具１１の用には管状部分２７に対してスライドすることが可能となっていない。図８に示すように、器具１１は、第１磁石３を形成する部分の周囲に形成された１以上の長手方向リブ３５によってその移動運動で案内されている。器具１１のスライドは、ここでは、第１実施形態のスライドに完全に類似している。図５Ａに示すペン先２の最大伸長位置において、当接部１２と肩部１１ａとの間に接触が発生する。リブ３５は、同様に、器具１１のこの最大伸長位置において、管状部分２７の面に同時に当接して押圧する。
【００５０】
図５Ａ及び図５Ｂの非限定的な例において、当接面それぞれは、好ましくは、管状部分２７の横断面からなる。このため、当接面１２は、器具１１の肩部１１ａがさらに前方に移動することを防止する。理解することは、器具１１がそして管状部分２７の内面に対する摩擦なく筆記圧中に得られることである。これは、器具１１が引っ掛かる危険性を排除する。
【００５１】
図７及び図９を参照すると、選択デバイス２０の管状部分２７に対する回転変位は、作動部材Ａの内面にある１以上の溝部４０によって案内される。管状部分２７と一体とされた棘突起部４１は、図７から視認可能であり、溝部４０内で移動し、選択デバイス２０の回転経路における２つの極位置それぞれでロックされる。棘突起部４１は、溝部４０の端部４０ａにおいて円筒部により強固に接触し、各構成を所定位置にロックする。また、追加の案内溝部を管状部分２７に設け、作動部材Ａの内部リブと協働させてもよい。
【００５２】
第２実施形態におけるこのタイプの選択デバイス２０からなる組立体は、第２磁石４が第１磁石３を向く磁気的作動側面に垂直な長手方向軸で回転することを可能とする。この場合において、磁石３、４の面間の磁気結合を遮断することは、重ね合わせた補完的な極の変更によって容易にされ、この変更は、掛ける力を低減する。
【００５３】
作動部材Ａは、管状部分２７に沿いかつクリップ５を規定する延長部を有する。このため、規定されたクリップ５の追加の長さを含む作動部材の全長は、第２磁石４の長さよりもずっと大きくなる。必要な内部容積は、低減され、作動部材Ａを把持することは、特に快適になる。図６及び図７から分かるように、クリップ５の自由端部は、第１磁石よりもずっと前方に延在し、作動部材Ａの反対側の端部は、円筒部１０のテーパ状後端部１０ｂを形成する。
【００５４】
したがって、第２実施形態は、後方に取り付けるキャップを有する筆記具における使い勝手に相当する十分な使い勝手をもたらす。また、空気は、器具１１の後端部及び選択デバイス２０を通る経路を用いて、入ることが可能である。ここで、後方通気孔１６は、円筒部１０の長手方向軸回りを中心としているが、変形例において側面にずらされてもよい。
【００５５】
変形実施形態において、選択デバイス２０は、同様に、円筒部１０の残りの部分に対して前進し、ペン先２の変位幅ｄを増大させる。このため、作動部材Ａの内側にある半円状の溝部４０は、螺旋状の溝部に置換されてもよい。より一般的には、理解することは、選択デバイス２０が第２構造に変化するときに磁石４の前方への前進を形成する態様で、選択デバイス２０が作動部材Ａを第２磁気部材４の回動軸Ｘに接続することである。
【００５６】
図１０の例において、１以上の溝部４２は、選択デバイス２０の主として螺旋状の変位を可能とする。この配置において、第２磁石４は、円筒部１０と同軸のままであり、管状部分２７の内側で軸方向に変位する。溝部４２は、選択デバイス２０を案内する任意の手段によって置換されてもよい。このような案内手段は、選択デバイス２０を基本的にその回転移動で案内する少なくとも１つの端部を有する。このため、図１０を参照すると、溝部４２の端部は、構造の変化段階中に第２磁石をまず回転案内することを可能とする。磁石３、４間の磁気結合を遮断する場合において、これは、第２磁石４を前方に押圧する前にまず磁力線を変更することを可能とする。引き込む場合において、これは、第２磁石４を後方に引っ張る前にまず斥力を十分に低減することを可能とする。
【００５７】
すなわち、作動部材Ａは、初期的に、磁気斥力または引力を減少させる作用を有する第２磁石を回転させる。特に、この配置は、引込位置へ復帰することを容易にし、これは、主として、磁気引力の影響を受けて上昇する器具１１に対応する。特に、距離が大きすぎることが磁気引力で相殺することをより困難とするので、磁石３、４間の距離が増大することを防止する。
【００５８】
本発明の有利点の１つは、筆記中に得られる磁気的緩和作用である。さらに、ペン先２は、回転する選択デバイス２０を筆記具１の管状本体部の外周に作動させることによって、単純に完全に引き込まれる。
【００５９】
理解することは、上述した各例及び各実施形態の詳細が別個にまたは組み合わせて使用されてもよいことである。当業者に明らかなことは、本発明が本発明の特許請求の範囲から逸脱することなく他の具体的な形態にある実施形態を可能とすることである。
【符号の説明】
【００６０】
１  筆記具、２  ペン先（筆記部材）、３  第１磁気部材，第１磁石，磁石、４  第２磁気部材，第２磁石，磁石、５  クリップ、１０  円筒部（円筒本体部、筒状本体部）、１０ａ  前端部、１０ｂ  後端部，テーパ状後端部，後方開口部、１１ａ  肩部、１２  当接部，当接面（長手方向当接部）、２０  選択デバイス、２５  ピン、３２，３３  リブ（ロック部材）、４０ａ  端部（ロック部材）、Ａ  作動部材、Ｘ  回動軸
【図１】
0005490224.tif 000002
【図２Ａ】
0005490224.tif 000003
【図２Ｂ】
0005490224.tif 000004
【図３】
0005490224.tif 000005
【図４】
0005490224.tif 000006
【図５Ａ】
0005490224.tif 000007
【図５Ｂ】
0005490224.tif 000008
【図６】
0005490224.tif 000009
【図７】
0005490224.tif 000010
【図８】
0005490224.tif 000011
【図９】
0005490224.tif 000012
【図１０】
0005490224.tif 000013